(57)【要約】      （修正有）【課題】蒸れを防止し開放感を確保しつつ、分離された指挿入部全体を覆って見た目を良好にする五本指の足カバーを提供する。【解決手段】足の五本の指がそれぞれ挿入される五つの指挿入部と、これらの指挿入部を相互に連結し、前記足先が挿入される足先挿入口Ａを有する筒状の連結部２ｂとからなる足先収納袋２と、前記足が挿入される足挿入口Ｂを有し、少なくとも前記足の裏、両側部、および、足先の甲を覆う足収納袋３とを備え、前記足先収納袋が、前記足収納袋の足先を覆う部分に内挿されているとともに、前記足先収納袋の前記足先挿入口の上縁部が、前記足収納袋の前記足挿入口の上縁部に接続されている。【選択図】図３
0003192348.tif 000002
【実用新案登録請求の範囲】
【請求項１】
足の五本の指がそれぞれ挿入される五つの指挿入部と、これらの指挿入部を相互に連結し、前記足先が挿入される足先挿入口を有する筒状の連結部とからなる足先収納袋と、前記足が挿入される足挿入口を有し、少なくとも前記足の裏、両側部、および、足先の甲を覆う足収納袋とを備え、前記足先収納袋が、前記足収納袋の足先を覆う部分に内挿されているとともに、前記足先収納袋の前記足先挿入口の上縁部が、前記足収納袋の前記足挿入口の上縁部に接続されていることを特徴とする足カバー。
【請求項２】
前記足先収納袋および前記足収納袋が伸縮性を有する布によって形成されていることを特徴とする請求項１に記載の足カバー。
【請求項３】
前記足先挿入口の周縁部、および、前記足挿入口の周縁部に、これらの口径を狭めるようになされた弾性体が装着されていることを特徴とする請求項１または請求項２に記載の足カバー。
【請求項４】
前記足収納袋が靴下であることを特徴とする請求項１ないし請求項３の何れかに記載の足カバー。
【請求項５】
前記足収納袋の、前記足の裏を被覆する部分の表面に、滑り止めが施されていることを特徴とする請求項１ないし請求項４の何れかに記載の足カバー。
【考案の詳細な説明】
【技術分野】
【０００１】
本考案は、足が挿入される足挿入口を有し、少なくとも足の裏、両側部、および、足先の甲を覆って用いられる足カバーに関するものである。
【背景技術】
【０００２】
従来、この種の足カバーとして、たとえば、特許文献１に示されている。
この足カバーは、足の五本の指がそれぞれ挿入される五つの指挿入部と、これらの指挿入部を相互に連結し、前記足先が挿入される足先挿入口を有する筒状の連結部とからなる足先収納袋と、前記足が挿入される足挿入口を有し、少なくとも前記足の裏、両側部、および、足先の甲を覆う足収納袋とを備え、前記足先収納袋の各指挿入部の先端を、前記足収納袋の、足先を覆う部位の内面に接続した構成となっている。
【０００３】
そして、前述した従来の足カバーは、その使用にあたって、前記足先収納袋を、前記足収納袋の外部へ引き出しておき、前記足先収納袋の足先挿入口から足先を挿入するとともに、その五本の指を、前記足先収納袋に設けられている五つの指挿入部にそれぞれ挿入した後に、前記足収納袋を裏返すことにより、この足収納袋によって、前記足先収納袋とともに足を包み込むようにしている。
【先行技術文献】
【特許文献】
【０００４】
【特許文献１】特開２００６−１４４２０３号公報
【考案の概要】
【考案が解決しようとする課題】
【０００５】
前述したような従来の足カバーでは、足の五本の指を個別に包み込むことにより、足先の蒸れを抑制するとともに、分割された指挿入部を前記足収納袋によって覆うことにより外観を整えることが可能となった。
【０００６】
しかしながら、前記各指挿入部が、その先端において前記足収納袋に接続されていることにより、これらの指挿入部間の間隔が、前記足収納袋によって規制されてしまい、足に装着した状態において、それぞれの指どうしの動きの自由が奪われてしまい、五本指の足カバーの利点である指の開放感が損なわれてしまうことが想定される。
【０００７】
本考案は、前述した従来の技術において残されている問題点を解決せんとしてなされたもので、五本指の足カバーにおいて、蒸れを防止し開放感を確保しつつ、分離された指挿入部全体を覆って見た目を良好にすることを課題とする。
【課題を解決するための手段】
【０００８】
本考案の足カバーは、前述した課題を解決するために、足の五本の指がそれぞれ挿入される五つの指挿入部と、これらの指挿入部を相互に連結し、前記足先が挿入される足先挿入口を有する筒状の連結部とからなる足先収納袋と、前記足が挿入される足挿入口を有し、少なくとも前記足の裏、両側部、および、足先の甲を覆う足収納袋とを備え、前記足先収納袋が、前記足収納袋の足先を覆う部分に内挿されているとともに、前記足先収納袋の前記足先挿入口の上縁部が、前記足収納袋の前記足挿入口の上縁部に接続されていることを特徴とする。
【０００９】
このような構成を有する足カバーでは、前記足先収納袋の足先挿入口の下縁と前記足収納袋の内面との間に開口部が形成される。
【００１０】
足に装着するに際して、まず、前記足収納袋の足先側を、その内部に位置させられている前記足先収納袋とともに前記開口部に押し込んで、この開口部から押し出す。
【００１１】
これによって、前記足収納袋の足先部分が裏返されることにより、前記足先収納袋が、前記足収納袋の外部へ露出させられ、その指挿入部および足先挿入口も外部に露出させられ、裏返された前記足収納袋の足先部分が、前記足先収納袋と重畳させられる。
これより、前述したように露出された足先収納袋を下方にして、前記足収納袋を足の甲側に対峙させ、ついで、足先を、前記足先挿入口を経て前記足先収納袋内に挿入するとともに、それぞれの指を、前記足先収納袋の各指挿入部に挿入し、かつ、前記足先収納袋の連結部に、足の指根元まわりを挿入する。
これによって、前記足先収納袋が、足先を取り囲むようにして装着される。
【００１２】
ついで、前記足収納袋のかかと側を、その足先側および前記足先収納袋に被せつつ、足の裏側からかかとへ向けて移動させる。
これによって、前記足収納袋の足先部分が、前述した方向と逆方向に裏返されて、この足先部分によって前記足先収納袋が覆われる。
【００１３】
さらに、前記足収納袋の足先部分以外の部分を、足裏や足の両側部、および、かかとに被せることにより、足カバーを足に装着することができる。
【００１４】
このように装着された足カバーにあっては、全ての指挿入部が前記足収納袋によって覆われることにより、見た目の良さが確保される。
また、足の各指が各指挿入部に挿入されて保持されることにより、その蒸れ感が抑制され、かつ、各指が挿入された前記各指挿入部が、前記足収納袋から離間した状態に保持されて、その動きの自由度、すなわち、指の動きの自由度が確保されて開放感が得られる。
【００１５】
本考案にあっては、前記足先収納袋および前記足収納袋が伸縮性を有する布によって形成することが好ましい。
このような構成とすることによって、前述した足への装着を円滑にすることができるとともに、装着時のフィット感を高めることができる。
【００１６】
また、前記足先挿入口の周縁部、および、前記足挿入口の周縁部に、これらの口径を狭めるようになされた弾性体を装着することが望ましい。
これによって、前記足先収納袋を適度な圧接力によって足先に被せ、また、足収納袋が足に対してずれることを防止することができる。
【００１７】
さらに、前記足収納袋を靴下状に構成することも可能であり、前記足収納袋の、前記足の裏を被覆する部分の表面に、滑り止めを施すようにしてもよい。
【考案の効果】
【００１８】
本考案の足カバーによれば、五本指の足カバーにおいて、蒸れを防止し開放感を確保しつつ、分離された指挿入部全体を覆って見た目を良好にすることができる。
【図面の簡単な説明】
【００１９】
【図１】本考案の一実施形態を示す平面図である。
【図２】本考案の一実施形態を示す分解図である。
【図３】本考案の一実施形態を示すもので、かかと方向からの斜視図である。
【図４】本考案の一実施形態を示すもので、装着手順を示す斜視図である。
【図５】本考案の一実施形態を示すもので、装着手順を示す斜視図である。
【図６】本考案の一実施形態を示すもので、装着手順を示す斜視図である。
【図７】本考案の一実施形態を示すもので、装着手順を示す斜視図である。
【図８】本考案の一実施形態を示すもので、装着手順を示す斜視図である。
【考案を実施するための形態】
【００２０】
以下、本考案の一実施形態を図１ないし図５を参照して説明する。
これらの図において、符号１は、本実施形態に係わる足カバーを示す。
この足カバー１は、足（Ｆ）の五本の指Ｆがそれぞれ挿入される五つの指挿入部２ａと、これらの指挿入部２ａを相互に連結し、前記足先が挿入される足先挿入口Ａを有する筒状の連結部２ｂとからなる足先収納袋２と、前記足が挿入される足挿入口Ｂを有し、少なくとも前記足の裏、両側部、および、足先の甲を覆う足収納袋３とを備え、前記足先収納袋２が、前記足収納袋３の足先を覆う部分に内挿されているとともに、前記足先収納袋２の前記足先挿入口Ａの上縁部が、前記足収納袋３の前記足挿入口Ｂの上縁部に接続された構成となっている。
【００２１】
本実施形態においては、前記足先収納袋２、および、前記足収納袋３は、伸縮性を備えた布によって形成されているとともに、それぞれに形成される足先挿入口Ａ、および、足挿入口Ｂの開口縁部には、その口径を狭める方向に付勢するゴム等の弾性体４・５が一体に設けられている。
【００２２】
そして、これらの足先収納袋２、および、足収納袋３は、たとえば、図２に示すように、個別に形成され、前記足先収納袋２を、その指収納部２ａを前記足収納袋３の足先側に挿入したのちに、前記足先挿入口Ａの約半周分の上縁部を、前記足挿入口Ｂの上縁部に接続することによって一体化されている。
【００２３】
したがって、前記足先挿入口Ａの下縁部と前記足収納袋３の内面との間には、開口部Ｃが形成されている。
【００２４】
このように構成された本実施形態に係わる足カバー１は、足Ｆに装着するに際して、まず、前記足収納袋３の足先側を、その内部に位置させられている前記足先収納袋２とともに前記開口部Ｃに押し込んで、この開口部から押し出す。
【００２５】
これによって、前記足収納袋３の足先部分が裏返されることにより、前記足先収納袋２が、図４に示すように、前記足収納袋３の外部へ露出させられ、その指挿入部２ａおよび足先挿入口Ａも外部に露出させられ、裏返された前記足収納袋３の足先部分が、前記足先収納袋２と重畳させられる。
【００２６】
これより、前述したように露出された足先収納袋２ａを下方にして、前記足収納袋３を足Ｆの甲側に対峙させ、ついで、足先を、前記足先挿入口Ａを経て前記足先収納袋２内に挿入するとともに、それぞれの指を、前記足先収納袋２の各指挿入部２ａに挿入し、かつ、前記足先収納袋２の連結部２ｂに、足の指根元まわりを挿入する。
これによって、前記足先収納袋２が、図５に示すように、足先を取り囲むようにして装着される。
【００２７】
ついで、前記足収納袋３のかかと側を、図６に示すように、その足先側および前記足先収納袋２に被せつつ、図７に示すように、足Ｆの裏側からかかとへ向けて移動させる。
これによって、前記足収納袋３の足先部分が、前述した方向と逆方向に裏返されて、この足先部分によって前記足先収納袋が覆われる。
【００２８】
さらに、前記足収納袋３の足先部分以外の部分を、足裏や足の両側部、および、かかとに被せることにより、図８に示すように、足カバーを足Ｆに装着することができる。
【００２９】
このように装着された足カバー１にあっては、全ての指挿入部２ａが前記足収納袋３によって覆われることにより、見た目の良さが確保される。
また、足Ｆの各指が各指挿入部２ａに挿入されて保持されることにより、その蒸れ感が抑制され、かつ、各指が挿入された前記各指挿入部２ａが、前記足収納袋３から離間した状態に保持されて、その動きの自由度、すなわち、指の動きの自由度が確保されて開放感が得られる。
【００３０】
また、本実施形態においては、前記足先収納袋２および前記足収納袋３が伸縮性を有する布によって形成されていることから、前述した足Ｆへの装着を円滑にすることができるとともに、装着時のフィット感を高めることができる。
【００３１】
さらに、前記足先挿入口Ａの周縁部、および、前記足挿入口Ｂの周縁部に、これらの口径を狭めるようになされた弾性体４・５を装着したことにより、前記足先収納袋２を適度な圧接力によって足先に被せ、また、前記足収納袋３を足Ｆの表面に馴染ませ、これによって、足カバー１が足Ｆに対してずれることを防止することができる。
【００３２】
なお、前記実施形態において示した各構成部材の諸形状や寸法等は一例であって、設計要求等に基づき種々変更可能である。
たとえば、前記実施形態においては、足収納袋３を、足Ｆのくるぶしより下を覆うような形状とした例について示したが、これに代えて、足Ｆのくるぶしより上まで覆うような，いわゆる、靴下状に構成することも可能である。
【００３３】
また、前記足収納袋３の、前記足Ｆの裏を被覆する部分の表面に、滑り止めを施すようにしてもよい。
【符号の説明】
【００３４】
１  足カバー
２  足先収納袋
２ａ  指挿入部
２ｂ  連結部
３  足収納袋
４  弾性体
５  弾性体
Ａ  足先挿入口
Ｂ  足挿入口
Ｃ  開口部
Ｆ  足
【図１】
0003192348.tif 000003
【図２】
0003192348.tif 000004
【図３】
0003192348.tif 000005
【図４】
0003192348.tif 000006
【図５】
0003192348.tif 000007
【図６】
0003192348.tif 000008
【図７】
0003192348.tif 000009
【図８】
0003192348.tif 000010